(57)【要約】【課題】  試薬等の化学物質を添加することなく、水を加えるだけで、早期に、簡易に、安価に、迅速に、確実に、工業用油の評価、特に、工業用油の劣化判断を行う。【解決手段】  作動油の劣化により生じた酸性物質を溶かし込む水を作動油に混合し、遠心分離手段を用いて、混合した液体を遠心力により水層３１と油層３２に分離し、親水性の酸性物質、即ち、加水分解の劣化により生じた酸性物質が溶かし込まれた水層３１のｐＨを評価し、作動油に存在していた酸性物質の濃度を把握して作動油の劣化を判断する。【選択図】  図３
2017062215.tif 000002
【特許請求の範囲】
【請求項１】
評価対象の工業用油に対して、前記工業用油に含まれる酸性物質を溶解させる水を混合し、混合した液体を遠心分離により水層と油層に分離し、分離した前記水層の水素イオン濃度指数に基づいて前記工業用油の評価を行う
ことを特徴とする工業用油の性状評価方法。
【請求項２】
請求項１に記載の工業用油の性状評価方法において、
前記水素イオン濃度指数が酸性の値である場合に、前記工業用油が劣化していると判断する
ことを特徴とする工業用油の性状評価方法。
【請求項３】
請求項１もしくは請求項２に記載の工業用油の性状評価方法において、
前記工業用油は、リン酸エステルである
ことを特徴とする工業用油の性状評価方法。
【請求項４】
工業用油の系統から工業用油が取り出される分取手段と、
前記分取手段で取り出された前記工業用油に対し、前記工業用油に含まれる酸性物質が溶解される水を混合する混合液体調製手段と、
前記混合液体調製手段で混合された混合液体を遠心力により水層と油層に分離する遠心分離手段と、
前記遠心分離手段で分離された前記水層の水素イオン濃度指数を計測するｐＨ計測手段と、
前記ｐＨ計測手段の情報が入力され、前記ｐＨ計測手段の水素イオン濃度指数の値が７よりも小さい所定の値以下の場合に、前記工業用油に酸性物質が含まれていると判断する評価手段とを備えた
ことを特徴とする工業用油の性状評価装置。
【請求項５】
請求項４に記載の工業用油の性状評価装置において、
前記工業用油は、リン酸エステルである
ことを特徴とする工業用油の性状評価装置。
【請求項６】
機器の作動を行う工業用油を貯留する貯留手段と、
前記貯留手段と前記機器との間で前記工業用油を循環させる循環路と、
前記循環路から前記工業用油を抽出して浄化し、浄化された前記工業用油を前記貯留手段に戻す浄化手段と、
前記工業用油の前記浄化手段への抽出を制御する流通制御手段と、
前記循環路から分岐して備えられ、前記工業用油を取り出す分取手段と、
前記分取手段で取り出された前記工業用油に対し、前記工業用油に含まれる酸性物質が溶解される水を混合する混合液体調製手段と、
前記混合液体調製手段で混合された混合液体を遠心力により水層と油層に分離する遠心分離手段と、
前記遠心分離手段で分離された前記水層の水素イオン濃度指数を計測するｐＨ計測手段と、
前記ｐＨ計測手段の情報が入力され、前記ｐＨ計測手段の水素イオン濃度指数の値が７よりも小さい所定の値以下の場合に、前記工業用油に酸性物質が含まれているとして前記工業用油が劣化していると判断する評価手段とを備えた
ことを特徴とする工業用油の循環装置。
【発明の詳細な説明】
【技術分野】
【０００１】
本発明は、各種の機械設備の機器で使用される作動油等の油の劣化を判断する工業用油の性状評価方法、及び、工業用油の性状評価装置に関する。
【０００２】
また、本発明は、各種の機械設備の機器で使用される作動油等の工業用油の循環装置に関する。
【背景技術】
【０００３】
従来、各種の機械設備の機器では、動力伝達媒体、潤滑剤、防錆や冷却等の目的のため、様々な工業用油が使用されている。例えば、火力プラントでは、耐火性、潤滑性、酸化安定性及び応答性に優れる油圧作動用の油として、例えば、リン酸エステルが広く利用されている。
【０００４】
工業用油は、使用に伴って徐々に劣化し、また、使用時に混入する水分や塵埃、空気（酸素）等が劣化を促進する場合もある。工業用油が劣化すると、使用される機器の金属磨耗の過大な増大等、種々の機械トラブルを誘発する。機械トラブルを未然に防ぐには、使用中の工業用油の劣化状態を評価することが有力な手段となる。
【０００５】
従って、工業用油の劣化を的確に評価することは、機械設備の機器の安定した稼働、生産性や経済性の向上につながる重要な要素となる。
【０００６】
工業用油の劣化状態を評価する手段としては、例えば、外表面をイオン液体膜で被覆した特定構造のイオン濃度センサ（ｐＨセンサ）を用い、潤滑油の全酸化（油の劣化指標）を直接に測定する手法がある（特許文献１参照）。また、例えば、特定構造の限外ろ過膜に特定の指示薬を保持させ、当該限外ろ過膜上での中和反応に基づいて潤滑油の塩基価を測定する手法がある（特許文献２参照）。
【０００７】
また、例えば、光学フィルターを発光部と測定試料（作動油）の間に配置し、一つの発光部及び受光部で複数の波長の吸光度を測定する特定構造の装置を用いる手法がある（特許文献３参照）。また、例えば、潤滑油を透過した可視光を３原色に分け、各々の吸光度を検出する特定構造のモニター装置を用いる手法がある（特許文献４参照）。
【０００８】
しかし、特許文献１から特許文献４の何れの技術も、工業用油の劣化を判断するためには、高額あるいは特別な装置、高度な技術、長期間を要することが多く、劣化評価の頻度が限定されてしまう問題があった。火力プラント等の機械設備の現場では、高い稼働率や高負荷条件での運転が要求される機会が多い。このため、従来の技術は適用し難い状況であり、工業用油の劣化を早期に、簡易に、迅速に、安価に、確実に発見できる評価の手法が望まれているのが現状である。これらの課題は、火力プラントだけでなく、工業用油を使用する他の機械設備を用いる現場においても同様に存在している。
【先行技術文献】
【特許文献】
【０００９】
【特許文献１】特開２０１４−１６３７０９号公報
【特許文献２】特開２０１２−５２９０３号公報
【特許文献３】特開平１０−１０４２２３号公報
【特許文献４】特開平０６−３４５４１号公報
【発明の概要】
【発明が解決しようとする課題】
【００１０】
本発明は、上記状況に鑑みてなされたもので、試薬等の化学物質を添加することなく、水を加えるだけで、早期に、簡易に、安価に、迅速に、確実に、工業用油の評価、特に、工業用油の劣化判断を行うことができる工業用油の性状評価方法、及び、工業用油の性状評価装置を提供することを目的とする。
【００１１】
また、本発明は上記状況に鑑みてなされたもので、試薬等の化学物質を添加することなく、水を加えるだけで、早期に、簡易に、安価に、迅速に、確実に、工業用油の評価を行うことができる評価装置を備えた工業用油の循環装置を提供することを目的とする。
【課題を解決するための手段】
【００１２】
請求項１から請求項６に係る本発明は、工業用油は、劣化に伴って酸性物質が生じる知見を基礎とし、酸性物質が親水性であることに着目してなされている。本発明における工業用油の劣化は、使用時に水分や塵埃、空気（酸素）等が混入して工業用油としての機能が低下することである。工業用油が劣化すると、使用される機器の金属磨耗の過大な増大等、種々の機械トラブルを誘発することになる。即ち、使用される機器の金属磨耗が増大したり、種々の機械トラブルを誘発したりする状態になる油の性状を劣化としている。
【００１３】
上記目的を達成するための請求項１に係る本発明の工業用油の性状評価方法は、評価対象の工業用油に対して、前記工業用油に含まれる酸性物質を溶解させる水を混合し、混合した液体を遠心分離により油層と水層に分離し、分離した前記水層の水素イオン濃度指数に基づいて前記工業用油の評価を行うことを特徴とする。
【００１４】
請求項１に係る本発明では、酸性物質が水に溶かし込まれ、酸性物質が溶かし込まれた水が遠心分離により正常な工業用油から分離され、水層の水素イオン指数に基づいて工業用油の評価を行うことで、工業用油の中の酸性物質の状況を把握する。このため、試薬等の化学物質を添加することなく、水を加えるだけで、早期に、簡易に、安価に、迅速に、確実に、工業用油の評価、特に、工業用油の劣化判断を行うことが可能になる。
【００１５】
そして、請求項２に係る本発明の工業用油の性状評価方法は、請求項１に記載の工業用油の性状評価方法において、前記水素イオン濃度指数が酸性の値である場合に、前記工業用油が劣化していると判断することを特徴とする。
【００１６】
請求項２に係る本発明では、工業用油に含まれていた酸性物質が水に溶かし込まれた場合、水素イオン濃度指数が酸性の値を示すため、工業用油に酸性物質が含まれて劣化していると判断される。
【００１７】
また、請求項３に係る本発明の工業用油の性状評価方法は、請求項１もしくは請求項２に記載の工業用油の性状評価方法において、前記工業用油は、リン酸エステルであることを特徴とする。
【００１８】
請求項３に係る本発明では、遠心分離を用いてリン酸エステルの評価（劣化判断）を行うことができる。
【００１９】
上記目的を達成するための請求項４に係る本発明の工業用油の性状評価装置は、工業用油の系統から工業用油が取り出される分取手段と、前記分取手段で取り出された前記工業用油に対し、前記工業用油に含まれる酸性物質が溶解される水を混合する混合液体調製手段と、前記混合液体調製手段で混合された混合液体を遠心力により油層と水層に分離する遠心分離手段と、前記遠心分離手段で分離された前記水層の水素イオン濃度指数を計測するｐＨ計測手段と、前記ｐＨ計測手段の情報が入力され、前記ｐＨ計測手段の水素イオン濃度指数の値が７よりも小さい所定の値以下の場合に、前記工業用油に酸性物質が含まれていると判断する評価手段とを備えたことを特徴とする。
【００２０】
請求項４に係る本発明では、分取手段により工業用油が取り出され、混合液体調製手段により、工業用油に含まれる酸性物質が溶解される水が混合され、遠心分離手段により混合液体が油層と水層に分離され、分離された水層の水素イオン濃度指数がｐＨ計測手段で計測される。そして、ｐＨ計測手段で計測された水素イオン濃度指数の値が７よりも小さい所定の値以下の場合に、評価手段により、工業用油に酸性物質が含まれていると判断される（工業用油の劣化が判断される）。
【００２１】
このため、試薬等の化学物質を添加することなく、水を加えるだけで、早期に、簡易に、安価に、迅速に、確実に油の評価、特に、油の劣化判断を行うことが可能になる。
【００２２】
そして、請求項５に係る本発明の工業用油の性状評価装置は、請求項４に記載の工業用油の性状評価装置において、前記工業用油は、リン酸エステルであることを特徴とする。
【００２３】
請求項５に係る本発明では、遠心分離手段を用いてリン酸エステルの評価（劣化判断）を行うことができる。
【００２４】
また、工業用油は、貯留手段と油が使用される機器との間で工業用油を循環させる循環路と、循環路から工業用油を抽出して浄化し、浄化された工業用油を貯留手段に戻す浄化手段と、工業用油の浄化手段への抽出を制御する流通制御手段とを備えた循環系統を流通する工業用油であることが好ましい。分取手段は、循環路から分岐して備えられ、評価手段は、劣化を判断した際に、流通制御手段により工業用油を前記浄化手段に抽出させることができる。
【００２５】
これにより、循環路を工業用油が流通することで、貯留手段と工業用油が使用される機器との間で工業用油が循環され、浄化手段により、循環路から工業用油が抽出されて浄化され、浄化された工業用油が貯留手段に戻される。工業用油の浄化手段への抽出は流通制御手段により制御される。循環路及び浄化手段により循環系統が形成され、循環系等を流通する油に酸性物質が含まれていることが判断される（工業用油の劣化が判断される）。
【００２６】
上記目的を達成するための請求項６に係る工業用油の循環装置は、機器の作動を行う工業用油を貯留する貯留手段と、前記貯留手段と前記機器との間で前記工業用油を循環させる循環路と、前記循環路から前記工業用油を抽出して浄化し、浄化された前記工業用油を前記貯留手段に戻す浄化手段と、前記工業用油の前記浄化手段への抽出を制御する流通制御手段と、前記循環路から分岐して備えられ、前記工業用油を取り出す分取手段と、前記分取手段で取り出された前記工業用油に対し、前記工業用油に含まれる酸性物質が溶解される水を混合する混合液体調製手段と、前記混合液体調製手段で混合された混合液体を遠心力により油層と水層に分離する遠心分離手段と、前記遠心分離手段で分離された前記水層の水素イオン濃度指数を計測するｐＨ計測手段と、前記ｐＨ計測手段の情報が入力され、前記ｐＨ計測手段の水素イオン濃度指数の値が７よりも小さい所定の値以下の場合に、前記工業用油に酸性物質が含まれているとして前記工業用油が劣化していると判断する評価手段とを備えたことを特徴とする。
【００２７】
請求項６に係る本発明では、循環路を工業用油が流通することで、貯留手段と工業用油が使用される機器との間で工業用油が循環され、浄化手段により、循環路から工業用油が抽出されて浄化され、浄化された工業用油が貯留手段に戻される。分取手段により工業用油が取り出され、混合液体調製手段により、工業用油に含まれる酸性物質が溶解される水が混合され、遠心分離手段により混合液体が油層と水層に分離され、分離された水層の水素イオン濃度指数がｐＨ計測手段で計測される。そして、ｐＨ計測手段で計測された水素イオン濃度指数の値が７よりも小さい所定の値以下の場合に、評価手段により、工業用油に酸性物質が含まれていると判断される（工業用油の劣化が判断される）。
【００２８】
このため、試薬等の化学物質を添加することなく、水を加えるだけで、早期に、簡易に、安価に、迅速に、確実に、工業用油の評価を行うことができる評価装置を備えた工業用油の循環装置とすることが可能になる。
【発明の効果】
【００２９】
本発明の工業用油の性状評価方法、及び、工業用油の性状評価装置は、試薬等の化学物質を添加することなく、水を加えるだけで、早期に、簡易に、安価に、迅速に、確実に、油の評価、特に、油の劣化判断を行うことが可能になる。
【００３０】
また、本発明の工業用油の循環装置は、試薬等の化学物質を添加することなく、水を加えるだけで、早期に、簡易に、安価に、迅速に、確実に、工業用油の評価、特に、工業用油の劣化判断を行うことができる評価装置を備えた工業用油の循環装置とすることが可能になる。
【図面の簡単な説明】
【００３１】
【図１】本発明の一実施例に係る工業用油の性状評価装置を備えた循環装置の全体構成図である。
【図２】遠心分離手段の概略構成図である。
【図３】本発明の一実施例に係る工業用油の性状評価方法を説明する概念図である。
【図４】水素イオン濃度指数（ｐＨ）の経時変化を表すグラフである。
【発明を実施するための形態】
【００３２】
図１には本発明の一実施例に係る工業用油の性状評価方法を実施する評価装置を備えた循環装置の全体の概略構成を示してある。図示の実施例で評価される油は、蒸気タービンの出力制御を行う弁部材（蒸気弁）の動作を行うアクチュエータ（機器）の作動油（工業用油：リン酸エステル）の例を示してある。
【００３３】
蒸気タービン１は、図示しないボイラからの高圧の蒸気が導入されて駆動力を得る高圧タービン２と、高圧タービン２から抽出された蒸気により駆動力を得る中圧タービン３と、中圧タービン３から抽出された蒸気により駆動力を得る低圧タービン４を備えている。高圧タービン２、中圧タービン３、低圧タービン４には発電機５が接続され、高圧タービン２、中圧タービン３、低圧タービン４の駆動により発電機５が運転されて発電電力が得られる。低圧タービン４で仕事を終えた蒸気は復水器６で冷却されて凝縮され、復水器６で得られた復水は図示しないボイラに給水される。
【００３４】
高圧タービン２の上流側には、蒸気タービン１の出力制御を行う蒸気弁８が備えられている。即ち、高圧タービン２に送られる蒸気の流量が蒸気弁８の動作により制御される。蒸気弁８は、工業用油（評価対象）としての作動油（リン酸エステル）が使用される機器であるアクチュエータ９により開閉動作され、蒸気弁８の開閉動作により、高圧タービン２に送られる蒸気の流量が制御されて蒸気タービン１の出力が制御される。
【００３５】
アクチュエータ９の作動油が流通する循環系統１１が備えられている。循環系統１１には作動油を貯留する貯留手段としての貯留タンク１２が備えられ、循環路１３を通してポンプ１４により作動油がアクチュエータ９に送られる。アクチュエータ９から排出された作動油は貯留タンク１２に戻される。
【００３６】
循環系統１１には浄化手段１６が備えられている。即ち、循環系統１１の循環路１３から分岐して貯留タンク１２に循環する抽出路１７が設けられ、抽出路１７には循環ポンプ１８及び洗浄フィルター１９が備えられている。循環ポンプ１８の上流側の抽出路１７には流通制御手段としての流量制御弁２０が設けられている。流量制御弁２０により作動油が浄化手段１６に送られ、洗浄フィルター１９を流通することで作動油が浄化される。
【００３７】
そして、循環系統１１を流通する作動油の評価（劣化判断）を行う工業用油の性状評価装置が備えられている。即ち、使用時に作動油に水分や塵埃、空気（酸素）等が混入して、作動油としての機能が低下した状態になっていないかが評価装置で評価される。具体的には、評価装置では、使用される機器（アクチュエータ９等）の金属磨耗が過大になる状態の作動油の性状になってないか、また、蒸気弁８の機械トラブルが誘発される状態の作動油の性状になってないか、等が評価される。
【００３８】
評価装置として、抽出路１７が分岐する部位の上流側（貯留タンク１２側）の循環路１３から分岐して分取手段としての分取路２１が備えられている。分取路２１で取り出された作動油に対し、作動油に含まれる酸性物質が溶解される水を混合する混合液体調製手段２２が設けられ、混合液体調製手段２２で混合液体が調整される。混合液体調製手段２２で混合された混合液体を遠心力により水層と油層に分離する遠心分離手段２３が備えられている。
【００３９】
遠心分離手段２３で分離された水の層（水層）の水素イオン濃度指数を計測するｐＨ計測手段２４（ｐＨメーター）が設けられ（配され）、ｐＨ計測手段２４の計測情報は評価手段としての劣化判断手段２５に入力される。劣化判断手段２５では、水素イオン濃度指数の値が、例えば、７よりも小さい所定値（例えば、３から６の間の任意の値）以下の場合、水層が酸性であり作動油に酸化物質が含まれているとして、作動油の劣化が判断される。作動油の劣化が判断された場合、例えば、劣化判断手段２５の指令により流量制御弁２０が制御され、作動油が浄化手段１６に送られて浄化運転を実行する。
【００４０】
尚、水素イオン濃度指数の値が所定値以下の場合、更に低い値をしきい値として設定し、水素イオン濃度指数の値がしきい値を下回った場合、機器やプラントを停止させて、作動油を交換する等をすることも可能である。
【００４１】
図２に基づいて遠心分離手段２３の構成を説明する。図２には遠心分離手段２３の概略構成を表す外観を示してある。
【００４２】
図に示すように、本体２７には回転テーブル２８が所定の回転速度で回転可能に支持されている。回転テーブル２８には容器３０を保持する保持穴部２９が複数個所に設けられ（図示例では３箇所）、混合液体が入れられた容器３０を保持穴部２９に収容することで、容器３０の下方が回転テーブル２８の周方向の外側に傾斜する状態で保持される。
【００４３】
尚、遠心分離手段２３の構成は、図２に示したものに限定されず、遠心力により混合液体を遠心力により水層と油層に分離できる構成であれば、回転機構や回転速度の設定は任意である。
【００４４】
この状態で、回転テーブル２８が所定の回転速度（例えば、５００ｒｐｍから３０００ｒｐｍ）で回転させることができる。例えば、数十秒間回転させることで、容器３０の内部に下方に働く遠心力により、親水性の酸性物質が溶け込んだ水の層（水層３１（図３参照））と、正常な状態の作動油の層（油層３２（図３参照））とが強制的に分離される。この場合、リン酸エステルは水よりも比重が大きいので、下方に油層３２が存在し、上方に水層３１が存在する状態になる。
【００４５】
上述した実施例の工業用油の性状評価方法（性状評価装置）は、リン酸エステルをはじめとする工業用の作動油は、劣化に伴って酸性物質が生じる、という知見を基礎とし、その酸性物質が親水性であることに着目している。
【００４６】
つまり、作動油としてのリン酸エステル（下記式（１）参照）は、使用に伴って徐々に劣化し、加水分解され、これにより親水性の酸性物質（下記式（２）の（ａ）〜（ｄ）を参照）等を生じ得る。使用時に混入する水分や塵埃等が劣化を促進し、酸性物質の生成を促進する場合もある。酸性物質は、ここで例示する構造に限定されない。
【００４７】
【化１】
2017062215.tif 000003
（Ｒ１〜Ｒ５は、それぞれ独立して、Ｈ、ＣＨ３、ＯＨの何れかを表す。）
【００４８】
【化２】
2017062215.tif 000004
（Ｒ１〜Ｒ５は、それぞれ独立して、Ｈ、ＣＨ３、ＯＨの何れかを表す。）
【００４９】
図３には評価装置（評価手段）の概念状況を示してある。
【００５０】
図３に示すように、容器３０の中の混合液体は、親水性の酸性物質が溶け込んだ水の層（水層３１）と、正常な状態の作動油の層（油層３２）が遠心力により分離され、水層３１と油層３２が存在している。この場合、リン酸エステルは水よりも比重が大きいので、下方に油層３２が存在し、上方に水層３１が存在する状態になる。容器３０の中で分離された水層３１の水素イオン濃度指数をｐＨ計測手段２４で計測する（ｐＨを検出する）。計測されたｐＨの情報は劣化判断手段２５に送られて劣化が判断される。
【００５１】
つまり、劣化により生じた酸性物質を水に溶かし込むと共に、混合した液体を遠心力により水層３１と油層３２に分離し、分離した水層３１のｐＨを評価することで、作動油に存在していた酸性物質の濃度を把握し、作動油の劣化が判断されている。作動油の劣化が判断された場合、音や表示等による警報が発せられる。
【００５２】
図４に基づいて作動油であるリン酸エステルのｐＨの経時変化を説明する。図４にはリン酸エステルの使用時間（月）の経過によるｐＨの変化、即ち、酸性物質が増えてｐＨ示す酸性の度合いの変化を示してある。
【００５３】
新品に近い作動油の場合（時刻ｔ０）、作動油のｐＨの値は、中性に近い、例えば、７を若干下回る値となる。数ヶ月使用した作動油の場合（時刻ｔ１）、酸性物質が増えて作動油のｐＨの値は、例えば、６に近い値となる。更に、数ヶ月使用して、例えば、１０ヶ月から１５ヶ月使用した作動油の場合（時刻ｔ２、ｔ３）、親水劣化が進むことで酸性物質が増加し、作動油のｐＨの値は、例えば、６を下回る値となる。
【００５４】
作動油の劣化に起因する不具合が生じた作動油の場合、親水劣化が進むことで酸性物質が大幅に増加し、作動油のｐＨの値は、例えば、５に近い値となる。このため、不具合が生じた作動油のｐＨの値（若干高い値）をしきい値として設定し、ｐＨを検出することで、作動油の使用限界を認識することが可能になる。
【００５５】
従って、劣化判断手段２５では、ｐＨの値が、例えば、７よりも小さい所定値（例えば、３から６の間の任意の値）以下の場合に、水層３１が酸性であり作動油に酸化物質が含まれているとして、作動油の劣化を判断することができる。
【００５６】
上述した、蒸気タービン１の蒸気弁８を動作させるためのアクチュエータ９の作動油（リン酸エステル）を循環させる循環装置では、循環系統１１の循環路１３を作動油が流通することで、貯留タンク１２とアクチュエータ９との間で作動油が循環される。作動油の劣化を判断する場合、分取路２１から作動油が取り出され、混合液体調製手段２２により、作動油に含まれる酸性物質が溶解される水が混合されて混合液体とされる。
【００５７】
混合液体調製手段２２で混合された混合液体は、遠心分離手段２３で水層３１と油層３２に分離される。即ち、図２に示すように、遠心分離手段２３の保持穴部２９に容器３０を収容し、回転テーブル２８を所定の回転速度（例えば、５００ｒｐｍから３０００ｒｐｍ）で、数十秒間回転させる。これにより、容器３０の内部に下方に遠心力が働き、図３に示すように、親水性の酸性物質が溶け込んだ水の層（水層３１）と、正常な状態の作動油の層（油層３２）とが確実に分離される。
【００５８】
混合液体の水層３１のｐＨがｐＨ計測手段２４で計測され、ｐＨ計測手段２４で計測されたｐＨの値が７よりも小さい所定の値以下の場合に、劣化判断手段２５により、作動油に酸性物質が含まれて劣化していると判断される。作動油の劣化が判断された場合、音や表示等による警報が発せられ、例えば、発電設備の運転員に作動油が劣化していることが報知される。
【００５９】
尚、作動油の劣化が判断された場合、劣化判断手段２５により浄化手段１６の流量制御弁２０の動作を制御し、作動油が抽出路１７に導かれる状態（導かれる作動油が増量される状態）にすることも可能である。
【００６０】
また、作動油の劣化の判断により、作動油の使用限界が認識された場合、蒸気タービン１や循環系統１１の運転を停止させ、作動油の交換等、必要なメンテナンスを実行する。
【００６１】
上述した工業用油の性状評価装置（性状評価方法）では、作動油の劣化により生じた酸性物質を溶かし込む水を作動油に混合し、混合した液体を遠心力により水層３１と油層３２に分離し、親水性の酸性物質、即ち、加水分解の劣化により生じた酸性物質が溶かし込まれた水層３１のｐＨを評価し、作動油に存在していた酸性物質の濃度を把握して作動油の劣化を判断している。
【００６２】
このため、試薬等の化学物質を添加することなく、水を加えるだけで、早期に、簡易に、安価に、迅速に、確実に、工業用油の評価、特に、工業用油の劣化判断を行うことが可能になる。
【００６３】
また、上述した工業用油の循環装置は、上記評価装置を備えて作動油を循環させているので、試薬等の化学物質を添加することなく、水を加えるだけで、早期に、簡易に、安価に、迅速に、確実に、作動油の評価、即ち、劣化判断を行うことができる評価装置を備えた循環装置とすることが可能になる。
【００６４】
上述した実施例では、作動油（工業用油）として、リン酸エステルを例に挙げて説明したが、その他の作動油（油圧作動油等）や、潤滑油等、様々な工業用油を評価（劣化判断）の対象とすることが可能である。即ち、劣化に伴って親水性の酸性物質を生じる工業用油であれば、基本的には、本発明の性状評価方法、性状評価装置を使用することができ、本発明の循環装置に適用することができる。
【符号の説明】
【００６５】
１  蒸気タービン
２  高圧タービン
３  中圧タービン
４  低圧タービン
５  発電機
６  復水器
８  蒸気弁
９  アクチュエータ
１１  循環系統
１２  貯留タンク
１３  循環路
１４  ポンプ
１６  浄化手段
１７  抽出路
１８  循環ポンプ
１９  洗浄フィルター
２０  流量制御弁
２１  分取路
２２  混合液体調製手段
２３  遠心分離手段
２４  ｐＨ計測手段
２５  劣化判断手段
２７  本体
２８  回転テーブル
２９  保持穴部
３０  容器
３１  水層
３２  油層
【図１】
2017062215.tif 000005
【図２】
2017062215.tif 000006
【図３】
2017062215.tif 000007
【図４】
2017062215.tif 000008